【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
輪郭に合致した複合部品の作製方法であって、
複数のプライを事前選択した輪郭に沿って位置合わせすることを含む、チャージ（６２）を組立てるステップ（１３４）と、
位置合わせして組立てたチャージ（６２）を成形ツール（７２）に移送する前に、成形ツール（７２）の上に第１の真空バッグ（１０８）を配置し、第１の真空バッグ（１０８）を成形ツール（７２）にシールするステップと、
位置合わせして組立てたチャージ（６２）を成形ツール（７２）に移送するステップと、
成形ツール（７２）上でチャージ（６２）を成形するステップ（１３６）と、
繊維プリフォームの上に第２の真空バッグ（１３０）を配置し、第２の真空バッグ（１３０）を成形ツール（７２）にシールするステップと、
第１および第２の真空バッグ（１０８、１３０）にそれぞれ第１および第２の真空を印加するステップと、
第１の真空バッグ（１０８）の中に導入された樹脂を繊維プリフォームに注入するステップと、
成形したチャージ（６２）を硬化させるステップ（１４０）と
を含む方法。
【請求項２】
チャージ（６２）を組立てるステップが、少なくとも一の繊維プリフォームを組立てツール（３８）上に配置することを含み、且つ
プライを位置合わせすることが、組立てツール（３８）を使用して、事前選択した輪郭に沿って繊維プリフォームを位置合わせすることを含む、
請求項１に記載の方法。
【請求項３】
位置合わせして組立てたチャージ（６２）を成形ツール（７２）に移送した後で、繊維プリフォームに樹脂を注入するステップ
を更に含む、請求項２に記載の方法。
【請求項４】
チャージ（６２）を組立てた後で、プライをまとめてクランプすることによりチャージ（６２）内のプライの位置合わせを維持するステップ
を更に含む、請求項１ないし３のいずれか一項に記載の方法。
【請求項５】
成形ツール（７２）内で、位置合わせして組立てたチャージ（６２）の第１の部分（６２ａ）をクランプするステップを
更に含み、
チャージを成形するステップが、チャージ（６２）の第１の部分（６２ａ）をクランプしながら成形ツール（７２）上に第２の部分（６２ｂ）を成形することを含む、
請求項１ないし４のいずれか一項に記載の方法。
【請求項６】
少なくとも一の輪郭を有する複合構造部材（３０）を作製するための装置であって、
チャージ（６２）を形成する複数のプライを組立てるための組立てツール（３８）と、
チャージ（６２）を成形するための成形ツール（７２）であって、組立てたチャージ（６２）を間にクランプできる互いに対して可動な一対のマンドレル（８０ａ、８０ｂ）を含む成形ツール（７２）と
成形ツール（７２）を覆うように構成された第１の真空バッグ（１０８）と、
成形ツール（７２）上にクランプされた成形済みチャージ（６２）を覆い、チャージ（６２）の少なくとも一部（６２ｂ）を成形ツール（７２）に対して保持するように構成された第２の真空バッグ（１３０）と、
第１および第２の真空バッグ（１０８、１３０）を成形ツール（７２）にシールする第１および第２のシール（１０４、１０６）と、
第１のバッグ（１０８）の中に樹脂を導入し、チャージ（６２）を注入するための樹脂供給管（９０）と
を備える装置。
【請求項７】
組立てツール（３８）が、
輪郭に沿ってプライを位置合わせするための、輪郭に合致した位置合わせガイド（４８）と、
位置合わせしたプライをまとめてクランプするためのクランプ機構（６８）と
を含む、請求項６に記載の装置。
【請求項８】
成形ツール（７２）が、真空、圧縮空気、及び樹脂供給管を受ける貫通孔を有するほぼ真空気密な基部（７４）を含んでおり、
マンドレル（８０ａ、８０ｂ）が基部（７４）上で互いに対して双方向に可動であり、且つ
マンドレル（８０ａ、８０ｂ）が、クランプされたチャージ（６２）の少なくとも一部（６２ｂ）をその上で成形できるツール表面（８６）を含んでいる、
請求項６または７に記載の装置。
【請求項９】
成形ツール（７２）が、マンドレル（８０ａ、８０ｂ）の一方にクランプ圧を印加するための膨張式ブラダー（９０）を含んでいる、請求項６ないし８のいずれか一項に記載の装置。
【請求項１０】
マンドレル（８０ａ、８０ｂ）の各々が、チャージ（６２）に輪郭を成形するための、輪郭に合致したクランプ表面を含んでいる、請求項６ないし９のいずれか一項に記載の装置。
【手続補正２】
【補正対象書類名】明細書
【補正対象項目名】００７１
【補正方法】変更
【補正の内容】
【００７１】
本発明の実施形態を、特定の例示的な実施形態に関連させて説明したが、これらの特定の実施形態は説明を目的としているのであって、限定を目的としているのではなく、当業者であれば他の変形例が想起可能であろう。
また、本願は以下に記載する態様を含む。
（態様１）
輪郭に合致した複合部品の作製方法であって、
複数のプライを事前選択した輪郭に沿って位置合わせすることを含む、チャージを組立てるステップと、
位置合わせして組立てたチャージを成形ツールに移送するステップと、
成形ツール上でチャージを成形するステップと、
成形したチャージを硬化させるステップと
を含む方法。
（態様２）
チャージを組立てるステップが、少なくとも一の繊維プリフォームを組立てツール上に配置することを含み、且つ
プライを位置合わせすることが、組立てツールを使用して、事前選択した輪郭に沿って繊維プリフォームを位置合わせすることを含む、
態様１に記載の方法。
（態様３）
位置合わせして組立てたチャージを成形ツールに移送した後で、繊維プリフォームに樹脂を注入するステップ
を更に含む、態様２に記載の方法。
（態様４）
位置合わせして組立てたチャージを成形ツールに移送する前に、成形ツールの上に第１の真空バッグを配置するステップと、
繊維プリフォームの上に第２の真空バッグを配置するステップと、
第１の真空バッグの中に導入された樹脂を繊維プリフォームに注入するステップと
を更に含む、態様１に記載の方法。
（態様５）
チャージを組立てた後で、プライをまとめてクランプすることによりプライの位置合わせを維持するステップ
を更に含む、態様１に記載の方法。
（態様６）
成形ツール内で、位置合わせして組立てたチャージの第１の部分をクランプするステップを
更に含み、
チャージを成形するステップが、チャージの第１の部分をクランプしながら成形ツール上に第２の部分を成形することを含む、
態様１に記載の方法。
（態様７）
少なくとも一の輪郭を有する複合構造部材を作製するための装置であって、
チャージを形成する複数のプライを組立てるための組立てツールと、
チャージを成形するための成形ツールであって、組立てたチャージを間にクランプできる互いに対して可動な一対のマンドレルを含む成形ツールと
を備える装置。
（態様８）
組立てツールが、
輪郭に沿ってプライを位置合わせするための、輪郭に合致した位置合わせガイドと、
位置合わせしたプライをまとめてクランプするためのクランプ機構と
を含む、態様７に記載の装置。
（態様９）
成形ツールが、真空、圧縮空気、及び樹脂供給管を受ける貫通孔を有するほぼ真空気密な基部を含んでおり、
マンドレルが基部上で互いに対して双方向に可動であり、且つ
マンドレルが、クランプされたチャージの少なくとも一部をその上で成形できるツール表面を含んでいる、
態様７に記載の装置。
（態様１０）
成形ツールが、マンドレルの一方にクランプ圧を印加するための膨張式ブラダーを含んでいる、態様７に記載の装置。
（態様１１）
成形されたチャージを覆う第１の真空バッグと、
成形ツール上にクランプされた成形済みチャージを覆い、チャージの少なくとも一部をツールに対して保持する第２の真空バッグと、
第１のバッグの中に樹脂を導入し、チャージを注入するための樹脂供給管と
を更に備えている、態様７に記載の装置。
（態様１２）
マンドレルの各々が、チャージに輪郭を成形するための、輪郭に合致したクランプ表面を含んでいる、態様７に記載の装置。